(57)【要約】【課題】紙の表面の防水処理が不要で、浴室で使用できる浴室用組み立て式ゴミ箱を提供する。【解決手段】ゴミ箱は、ストーンペーパー又はユポ紙で構成され、全体形状が四角柱で、上方に開口部が設けられ、底面がなく、４つの底枠部を用いて起立でき、４つの上枠部の一つである第１上枠部に折り目を介して連なる帯片をゴミ箱内部に撓ませて、帯片の端部の舌片を第１上枠部に対向する第２上枠部に係合させる構造である。素材が紙なので、容器ごと廃棄できる。また、表面に自由にデザインが可能であり、商品や会社の宣伝用など意匠性に富んだゴミ箱として利用できる。【選択図】図１
2015078059.tif 000002
【特許請求の範囲】
【請求項１】
ストーンペーパーもしくはユポ紙で構成される浴室用組み立て式ゴミ箱。
【請求項２】
展開図の形状が略Ｔ字形もしくは略Ｌ字形である請求項１に記載の浴室用組み立て式ゴミ箱。
【請求項３】
ゴミ箱の全体形状は、円柱、楕円柱、又は多角注で、上方に開口部が設けられ、底面がなく、底枠部を用いて起立でき、上枠部の一端部に折り目を介して連なる帯片をゴミ箱内部に撓ませて、前記帯片の端部を前記一端部に対向する上枠部の他端部に係合させたことを特徴とする請求項２に記載の浴室用組み立て式ゴミ箱。
【請求項４】
ゴミ箱の全体形状は四角柱で、上方に開口部が設けられ、底面がなく、４つの底枠部を用いて起立でき、４つの上枠部の一つである第１上枠部に折り目を介して連なる帯片をゴミ箱内部に撓ませて、前記帯片の端部の舌片を第１上枠部に対向する第２上枠部に係合させたことを特徴とする請求項２に記載の浴室用組み立て式ゴミ箱。
【請求項５】
前記帯片の中央に、水切り用孔を少なくとも１つ設けたことを特徴とする請求項３又は４に記載の浴室用組み立て式ゴミ箱。
【請求項６】
４つの前記底枠部に切欠き部を設けたことを特徴とする請求項３又は４に記載の浴室用組み立て式ゴミ箱。
【請求項７】
前記開口部を塞ぐ蓋部を設けたことを特徴とする請求項３又は４に記載の浴室用組み立て式ゴミ箱。
【発明の詳細な説明】
【技術分野】
【０００１】
本発明は、使い捨てできる、浴室用の組み立て式ゴミ箱に関するものである。
【背景技術】
【０００２】
浴室内において、身体を洗浄する際に絆創膏や湿布材が剥がれて、それらがゴミになるケースはよくあることである。また、浴室内では、排水溝にたまった髪の毛などが原因となって排水の流れが滞留するケースもよくあることである。このように浴室内では細かいゴミが多く出るが、これらのゴミを浴室の外に持って出るのは面倒であり、殆どの場合、浴室内にゴミを放置しがちで、或いは浴室内の掃除を延期しがちである。
現状、浴室用のゴミ箱は存在するが、耐水性が要求されることから、殆どがプラスチック製であり、このプラスチック製の容器を直接使った場合には当該容器の掃除が必要である。また、プラスチック製のゴミ箱の中にビニール袋を入れた場合には、排水性が悪く不衛生となってしまう。メッシュ地の袋を浴室の壁面に取り付けて、ゴミを袋に入れる風呂場用ゴミ入れも知られているが（例えば、特許文献６を参照）、美観面の問題がある。
【０００３】
従来から、防水処理を施した紙を用いる使い捨てゴミ箱が知られている（例えば、特許文献１〜５を参照。）。
特許文献１〜５に開示された使い捨てゴミ箱では、段ボール紙の表面に化粧紙を貼り、他方の表面に防水処理を施している。しかしながら、段ボールなどの紙の表面の防水処理が面倒であるという問題と、ゴミ箱の底面全体が床に当接する形状構造であるため、浴室用として使用した場合に、底面部が水に浸透して容器形状を保ち難いという問題がある。
【先行技術文献】
【特許文献】
【０００４】
【特許文献１】実開昭６１−１１０６０１号公報
【特許文献２】実開昭６２−１８６８０１号公報
【特許文献３】実開昭６３−３１００１号公報
【特許文献４】実開昭６３−３２８０１号公報
【特許文献５】実開平２−１０３０１号公報
【特許文献６】特開２００８−１１０８６６号公報
【発明の概要】
【発明が解決しようとする課題】
【０００５】
上述したように、従来の使い捨てゴミ箱では、紙の表面の防水処理が面倒であるという問題と、ゴミ箱の底面全体が床に当接する形状構造であるため、浴室用として使用した場合に、底面部が水に浸透して形状を保ち難いという問題がある。
かかる状況に鑑みて、本発明は、紙の表面の防水処理が不要で、浴室で使用できる浴室用組み立て式ゴミ箱を提供することを目的とする。
【課題を解決するための手段】
【０００６】
上記課題を解決すべく、本発明の浴室用組み立て式ゴミ箱は、ストーンペーパーもしくはユポ紙で構成されることを特徴とする。ストーンペーパーとは、主成分の石灰石（ＣａＣＯ３）にポリエチレン樹脂および紫外線遮断剤を加えて製造された紙材であり、表面が滑らかで、耐水性に優れており、水に濡れても破損し難いという特質を備える。
ユポ紙とは、同じく耐水性を持つ紙材であり、ポリプロピレン樹脂で作られる。
このストーンペーパーやユポ紙によりゴミ箱を構成することにより、紙の表面の防水処理が不要となり、浴室での使用に十分に耐えることが可能となる。
ストーンペーパーは、ユポ紙よりも安価でありコスト面に優れる。また、ユポ紙がプラスチックフィルム的な表面であるのに対して、ストーンペーパーは紙に近い風合いを有している。このため、ストーンペーパーの方が浴室というリラックス空間になじむ。また、ストーンペーパーは化石資源を用いるプラスチック材などと異なり、製紙過程や廃棄焼却過程で二酸化炭素の排出が少なく、環境に与える影響が極めて少ないことが知られている。このようなことから、より安価で風合いのあるストーンペーパーがより好ましい。
また、ストーンペーパーやユポ紙は、例えば、０．３〜０．５ｍｍの厚みのものを用いることができる。
【０００７】
本発明の浴室用組み立て式ゴミ箱において、展開図の形状は略Ｔ字形もしくは略Ｌ字形であることが好ましい。展開図の形状は略Ｔ字形もしくは略Ｌ字形にすることにより、１枚のストーンペーパーを使用し、折り曲げて、ゴミ箱を組み立てることができる。
【０００８】
また、本発明の浴室用組み立て式ゴミ箱の形状は以下の（ａ）〜（ｅ）の特徴を有することが好ましい。
（ａ）全体形状は、円柱、楕円柱、又は多角注である。
（ｂ）上方に開口部が設けられている。
（ｃ）底面がない。
（ｄ）底枠部を用いて起立できる。
（ｅ）上枠部の一端部に折り目を介して連なる帯片をゴミ箱内部に撓ませて、帯片の端部を前記一端部に対向する上枠部の他端部に係合させている。
【０００９】
より好ましくは、本発明の浴室用組み立て式ゴミ箱の形状は以下の（ａ１）〜（ｅ１）の特徴を有する。
（ａ１）全体形状は四角柱である。
（ｂ１）上方に開口部が設けられている。
（ｃ１）底面がない。
（ｄ１）４つの底枠部を用いて起立できる。
（ｅ１）４つの上枠部の一つである第１上枠部に折り目を介して連なる帯片をゴミ箱内部に撓ませて、帯片の端部の舌片を第１上枠部に対向する第２上枠部に係合させている。
【００１０】
帯片を撓ませＵ字状にし、帯片をゴミ箱内部に収納し、対向する上枠部に係合させて、ゴミ収納のスペースを生成する。
上記（ａ）〜（ｅ）あるいは（ａ１）〜（ｅ１）の特徴の形状では、底面部が密封されていないため、ゴミ箱内に水が溜まることがない。また、帯片の両側は、ゴミ箱の内側面により囲まれており、ゴミを収納する空間を生成するが、帯片の両側とゴミ箱の内側面は固着されておらず、隙間があるため、その隙間から水が排出されるようになっている。
【００１１】
また、本発明の浴室用組み立て式ゴミ箱において、帯片の中央に、水切り用孔を少なくとも１つ設けたことが好ましい。帯片が撓むことによってＵ字状になり、ゴミを収納する空間を生成するが、帯片の中央が底部となるため、ここに水切り用孔を設けることによって、水はけを向上させる。
【００１２】
また、本発明の浴室用組み立て式ゴミ箱において、底枠部に、切欠き部を設けたことが好ましい。切欠き部を設けることにより、水はけを向上させることができる。ここで、切欠き部は、底枠部の中央、或いは、底枠部の隅に設ける。底枠部の中央および隅に設けてもよい。
【００１３】
また、本発明の浴室用組み立て式ゴミ箱において、開口部を塞ぐ蓋部を設けたことが好ましい。ゴミ箱内のゴミを開口部から見えないようにするという美観上の観点から、開口部を塞ぐ蓋部を設ける。蓋部もゴミ箱本体と同じストーンペーパーで作製されることにより、蓋をした状態でゴミ箱を廃棄できる。
【発明の効果】
【００１４】
本発明の浴室用組み立て式ゴミ箱によれば、紙の表面の防水処理が不要で、浴室にそのまま置いて使用できる。また、素材が紙なので、容器ごと「燃えるゴミ」として廃棄できるといった効果がある。また、表面に自由にデザインが可能であり、商品や会社の宣伝用など意匠性に富んだゴミ箱として利用できる。組み立て式で、かつ安価であり、ノベルティ商品として利用できる。
【図面の簡単な説明】
【００１５】
【図１】実施例１の浴室用の組み立て式ゴミ箱の外観斜視図
【図２】実施例１の浴室用の組み立て式ゴミ箱本体の展開図
【図３】実施例１の浴室用の組み立て式ゴミ箱の蓋部の展開図
【図４】実施例１の浴室用の組み立て式ゴミ箱本体の組み立て説明図
【図５】実施例１の浴室用の組み立て式ゴミ箱に底枠部に切欠き部を設けた外観斜視図
【発明を実施するための最良の形態】
【００１６】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１７】
図１は、実施例１の浴室用組み立て式ゴミ箱の外観斜視図を示している。
実施例１の浴室用組み立て式ゴミ箱は、ゴミ箱本体１の全体形状が四角柱であり、上方に開口部が設けられている。ゴミ箱には底面はなく、４つの底枠部（１１ａ〜１４ａ）によって安定的に起立できる。４つの上枠部（１１ｂ〜１４ｂ）の一つである第１上枠部１２ｂに折り目を介して連なる帯片１５をゴミ箱内部に撓ませて、端部１５ｂを介して帯片１５に連設された舌片１８を、第１上枠部１２ｂに対向する第２上枠部１４ｂに係合させている。帯片１５が撓んだ最下部には水切り孔１６が設けられている。
ゴミ箱本体１は、１枚のストーンペーパーを図２に示す展開図のようにカットされたものを組み立てたものであり、耐水性・防水性に優れており、形状も安定している。また、側面の外表面あるいは内表面、帯片の表面などに自由に装飾デザインを施すことが可能である。
【００１８】
また、実施例１の浴室用組み立て式ゴミ箱は、蓋部２が設けられている。蓋部２は、ゴミ箱本体の上方の開口部を塞ぐように、４つの上枠部（１１ｂ〜１４ｂ）で囲まれる面積と略同一の面積の蓋面２１と、ゴミ箱本体１の内側面に当接し得る耳片（２２，２３）を備えている。蓋部２は、蓋面２１の中央付近を指で掴めるように、円弧状にカットされた部位があり、下側に折り返して摘み部（２４，２５）が形成されている。蓋部２も、ゴミ箱本体１本体と同様、ストーンペーパーで構成されている（展開図を図３に示す）。
【００１９】
次に、実施例１の浴室用組み立て式ゴミ箱本体の展開図について説明する。図２は、実施例１の浴室用組み立て式ゴミ箱本体の展開図を示している。図２に示すように、展開図の形状は略Ｔ字形を逆さまにした形状である。図２に示す側面（１１〜１４）で四角柱を形成する。また、側面１２の折り目となる点線部（これが図１における第１上枠部１２ｂになる）を介して、側面１２に連設される帯片１５が存在する。また、帯片１５の中央には水切り用孔１６が３つ設けられている。また、帯片１５の中央には左右耳片（１７ａ，１７ｂ）が設けられている。また、帯片１５の端部１５ｂに舌片１８が設けられている。
側面（１１〜１４）で四角柱を形成するには、隣接する側面が折り目（１１ｃ〜１３ｃ）で９０°に折り曲げられる。側面１１の耳片（３１，３２）は側面１１から折り目で９０°に内側に折り曲げられる。側面１４の耳片（３３，３４）も同様に側面１４から折り目で９０°に内側に折り曲げられる。耳片３１と耳片３３は、互いの切り目（３１ａ，３３ａ）で係合する。耳片３２と耳片３４も同様に、互いの切り目（３２ａ，３４ａ）で係合する。
【００２０】
１１ａ〜１４ａが底枠部となり、底枠部（１１ａ〜１４ａ）が床と接するように起立させる。
側面１４の端部１４ｂには係止片１９が形成されている。係止片１９には、係止孔１９ａが設けられており、帯片１５の舌片１８が係止孔１９ａに挿入係止できるようにしている。この係止片１９は側面１４と端部１４ｂの折り目を介して９０°に曲げられる。
この状態まで組み立てると、ゴミ箱本体１は、図４に示すような外観になる。
【００２１】
図４において、帯片１５が、上枠部１２ｂの折り目で、ゴミ箱本体１の内側に折り込まれ、舌片１８が上枠部１４ｂに連設された係止片１９の係止孔１９ａに挿入係止されるように組み立てる。その場合、帯片１５は、ゴミ箱本体１の内側で撓んだ状態になり、帯片１５の中央に設けた水切り孔１６が最下部に位置することになる。
帯片１５の長さは、四角柱の高さの２倍より長く、ゴミ箱本体１の内側で撓んだ状態で床に接しないように調整されている。
帯片１５の中央には左右耳片（１７ａ，１７ｂ）は、帯片１５がゴミ箱本体１の内側で撓んだ状態で、上側に９０°に折り曲げられており、側面（１１，１３）の内側面と当接する。
実施例１の浴室用組み立て式ゴミ箱は、底面部が密封されておらず、ゴミ箱内に水が溜まることがない。また、帯片の両側は、ゴミ箱の側面により囲まれており、ゴミを収納する空間を生成している。帯片の両側と側面は固着されておらず、隙間があるため、その隙間から水が排出されるようになっている。
【００２２】
（その他の実施例）
（１）実施例１の浴室用組み立て式ゴミ箱に、図５に示すように、底枠部（１１ａ〜１４ａ）に切欠き部３０を設けても構わない。ゴミ箱の底の水はけを向上する。
（２）実施例１の浴室用組み立て式ゴミ箱の場合、蓋部２を設けているが、蓋部２を設けなくても構わない。
（３）実施例１の浴室用組み立て式ゴミ箱の場合、帯片１５の中央に左右耳片（１７ａ，１７ｂ）を設けているが、設けなくても構わない。
（４）実施例１の浴室用組み立て式ゴミ箱の場合、帯片１５は上枠部１２ｂから連接されているが、他の上枠部（１１ｂ，１３ｂ，１４ｂ）から連接されていても構わない。帯片１５が上枠部（１１ｂ，１４ｂ）から連接される場合、展開図の形状は略Ｌ字形（Ｌ字の左右対称）になる。
（５）実施例１の浴室用組み立て式ゴミ箱の場合、帯辺１５の耳片（１７ａ，１７ｂ）の形状は、円弧状の形状を呈しているが、円形や多角形の形状でも構わない。
（６）実施例１の浴室用組み立て式ゴミ箱の場合、側面１１の耳片（３１，３２）と側面１４の耳片（３３，３４）は、互いの切り目で係合するが、他の係合の仕方であっても構わない。例えば、側面１４の耳片（３３，３４）の少なくとも一つに、切り目ではなく、係止孔が設けられ、当該係止孔に側面１１の耳片が挿入し係合されるものでも構わない。
【産業上の利用可能性】
【００２３】
本発明は、浴室用ゴミ箱に有用である。
【符号の説明】
【００２４】
１  ゴミ箱本体
２  蓋部
１１〜１４  側面
１１ａ〜１４ａ  底枠部
１１ｂ〜１４ｂ  上枠部
１７ａ，１７ｂ  耳片
１５  帯片
１６  水切り用孔
１８  舌片
１９  係止片
１９ａ  係止孔
３０  切欠き部
【図１】
2015078059.tif 000003
【図２】
2015078059.tif 000004
【図３】
2015078059.tif 000005
【図４】
2015078059.tif 000006
【図５】
2015078059.tif 000007